(57)【要約】【課題】ポンプ自体を大にすることなしに、消音室が大になるようにする等、消音効果が大になるようにして静かなダイヤフラムポンプが得られるようにする。【解決手段】駆動機構を収納するケースと、ダイヤフラム本体に一体に形成されたダイヤフラム部を配置するシリンダーを有するシリンダー部と、ダイヤフラム本体と一体に形成された筒状の吐出弁と、吸入弁とを配置するバルブハウジング等を組み合わせたもので、バルブハウジングの外側に蓋を設けて密封室を設け、ケースに孔を形成し、密封室と、ケースとシリンダー部とにて形成される空間とを結ぶ流路を形成したもので、ダイヤフラム部の往復動により流体がケースの孔よりケース、シリンダー部にて形成される空間に入り流路を通って密封室へ入り、吸入弁、ダイヤフラム部、吐出弁を通り外部へ供給されるポンプ作用を行なうもので、密封室とケース、シリンダー部の空間とが消音室を構成するようにした。【選択図】　　　　　　図１
2004011579.tif 000002
【特許請求の範囲】
【請求項１】
ケースと、シリンダー部と、吐出口に通ずる円筒状の共通室を有するバルブハウジングと、シリンダー部の各シリンダー内に配置されるダイヤフラム部と前記バルブハウジングに形成された共通室に配置された筒状の一つの吐出弁とが一体に形成されたダイヤフラム本体と、前記バルブハウジングの各ダイヤフラム部の位置に形成された吸入口に設けられた吸入弁とよりなり、前記ダイヤフラム部に一体に設けられた駆動部を一定の位相差をもって往復動されることにより各吸入口より吸入し、吐出弁を開いて共通室を通って吐出口より流体を外部に供給するポンプで、前記バルブハウジングの吸入側に密封された空間を形成すると共に前記空間と前記ケースおよび前記シリンダー部とにより形成される空間とを連通する流路を設け、前記ポンプ作用に際し、流体が前記ケースとシリンダー部とにより形成される空間より、前記流路を通り前記密封された空間を通って吸入弁を開いてポンプ室、吐出弁、共通室を通り供給するポンプ作用を行なうダイヤフラムポンプ。
【請求項２】
前記流路が前記シリンダー部と前記バルブハウジングの周辺部分に形成されている請求項１のダイヤフラムポンプ。
【請求項３】
前記ケースと前記シリンダーと前記バルブハウジングをねじ止めにより一体にし、前記流路が少なくとも一つのねじ止め部分に形成された請求項１のダイヤフラムポンプ。
【発明の詳細な説明】
【０００１】
【発明の属する技術分野】
本発明は、ダイヤフラムポンプに関するものである。
【０００２】
【従来の技術】
従来のダイヤフラムポンプは、例えば図２に示す通りの構成である。この図２において、１はモータ、２はモータ１の出力軸、３はモータ１の出力軸２に固定されたクランク台、４はクランク台３に傾斜させて固定されている駆動軸、５は駆動軸４に対して回動可能に取り付けられた駆動体である。
【０００３】
また、６はケース、７はシリンダー部、８はバルブハウジング、１０は複数のダイヤフラム部１１と筒状の吐出弁１２とを一体に形成したダイヤフラム本体である。尚１３は各ダイヤフラム部１１とバルブハウジング８とにより形成されるポンプ室である。また１４は吐出口である。
【０００４】
このダイヤフラム本体１０は、駆動部１１ａを有する各ダイヤフラム部１１が、夫々シリンダー部７のシリンダー７ａ内に配置され、また筒状の吐出弁１２は、バルブハウジング８に形成された共通室８ａ内に配置される。このようにダイヤフラム本体１０は、シリンダー部７とバルブハウジング８とにより挟まれ保持される。この状態で、ケース６、シリンダー部７、バルブハウジング８とが図示するように組み合わされ、更に孔２０ａを有する蓋２０を重ねてねじ１５により固定される。尚、バルブハウジング８の共通室８ａの内壁面には、共通室８ａと各ダイヤフラム部１１（ポンプ室１３）を結ぶ溝が形成されている。また、１６はバルブハウジング８の各ダイヤフラム部１１（ポンプ室１３）が位置する部分に配置された吸入弁、１７は吸入口である。
【０００５】
この従来のダイヤフラムポンプは、モータ１の駆動による出力軸２の回転によりクランク台３が回転する。このクランク台３の回転によりクランク台３に傾斜させて取り付けられている駆動軸４が、その傾斜方向を連続して変化させる。
【０００６】
このような駆動軸４の運動により、駆動体５もその傾きを連続して変化し、この傾きの変化により駆動体５に固定されている各ダイヤフラム部１１の駆動部１１ａは、往復動を行なう。
【０００７】
この駆動部１１ａの往復動によって、各ポンプ室１３は、夫々一定の位相差をもってその容積が変化する。
【０００８】
例えば、駆動部１１ａが前進してポンプ室の容積が減少するとそのポンプ室の圧力は増大し、これによりポンプ室内の流体は溝８ｂを通り筒状の吐出弁１２を開き共通室８ａを通って吐出口１４よりポンプ外へ供給される。逆に、駆動部１１ａの後退によりポンプ室１３の容積が増大するとその圧力を減少する。このポンプ室の圧力の減少により吐出弁１２は閉じ、一方吸入弁１６は開いて、外部より流体が矢印Ａのようにポンプ室内に流れ込む。
【０００９】
以上の運動を繰り返すことにより、ポンプ作用が行なわれる。
【００１０】
【発明が解決しようとする課題】
ここで、この従来のダイヤフラムポンプは流体の流れによる騒音を発する問題がある。
【００１１】
この問題を解決するために図２に示すポンプは、バルブハウジングに孔２０ａを有する蓋２０を固定することにより図２に示す部分に消音のために室（消音室）を形成することにより消音を行なうようにしている。
【００１２】
しかし、このような構成のポンプでは消音効果は不十分であった。
【００１３】
また、図２に示す構成のポンプで、消音効果を増大させてより静かなポンプにするためには、バルブハウジングと蓋との間に形成される空間（消音室）の容積を大にすればよい。
【００１４】
しかし、消音室の容積を大にするとポンプ自体の高さが高くなる等、ポンプが大型化する欠点が生ずる。
【００１５】
本発明は、小型であって十分な消音効果が得られる極めて静かなダイヤフラムポンプを提供するものである。
【００１６】
【課題を解決するための手段】
本発明のダイヤフラムポンプは、ケースと、シリンダー部と、吐出口に通ずる円筒状の共通室を有するバルブハウジングと、シリンダー部の各シリンダー内に配置されるダイヤフラム部と前記バルブハウジングに形成された共通室に配置された筒状の一つの吐出弁とが一体に形成されたダイヤフラム本体と、前記バルブハウジングの各ダイヤフラム部の位置に形成された吸入口に設けられた吸入弁とよりなり、前記ダイヤフラム部に一体に設けられた駆動部を一定の位相差をもって往復動されることにより各吸入口より吸入し、吐出弁を開いて共通室を通って吐出口より流体を外部に供給するポンプで、前記バルブハウジングの吸入側に密封された空間を形成すると共に前記空間と前記ケースおよび前記シリンダー部とにより形成される空間とを連通する流路を設け、前記ポンプ作用に際し、流体が前記ケースとシリンダー部とにより形成される空間より、前記流路を通り前記密封された空間を通って吸入弁を開いてポンプ室、吐出弁、共通室を通り供給するポンプ作用を行なうポンプである。
【００１７】
このように、本発明のダイヤフラムポンプは、バルブハウジングの吸入口の外側に形成される消音室（バルブハウジングと蓋との間に形成される空間）とケース、シリンダー部にて形成される空間とを結ぶ流路を形成することにより消音室を二つ設けたことになり、また消音室を形成する空間の容積を大にすることにより、消音効果を増大したものである。
【００１８】
また、一方の消音室がポンプ駆動機構等を収納するケース等をそのまま使用しているためポンプ自体の大きさを全く変えることなしに実現し得る。
【００１９】
【発明の実施の形態】
本発明のダイヤフラムポンプの実施の形態を図をもとに説明する。
【００２０】
図１は、本発明のダイヤフラムポンプを示すもので、この図１において、１はモータ、２はモータ１の出力軸、３はモータ１の出力軸２に固定されたクランク台、４はクランク台３に傾斜させて固定されている駆動軸、５は駆動軸４に対して回動可能に取り付けられた駆動体、６はケース、７はシリンダー部、８はバルブハウジング、１０は複数のダイヤフラム部１１と筒状の吐出弁１２とを一体に形成したダイヤフラム本体である。また１３はポンプ室、１４は吐出口である。
【００２１】
また、１６はバルブハウジング８の各ダイヤフラム部（ポンプ室）が位置する部分に配置された吸入弁、１７は吸入口、１８は蓋である。
【００２２】
以上の構成は、図２に示すバルブハウジングの吸入側に消音室を設けた従来のダイヤフラムポンプと実質上同じである。
【００２３】
本発明のダイヤフラムポンプは、図１に示すように蓋１８に外部に通ずる孔を設けることなしにバルブハウジング８の上部に密封された空間を設けて消音室を構成すると共に、ケース６、シリンダー部７、バルブハウジング８、蓋１８を固定するねじ１５の位置でシリンダー部７とバルブハウジング８に形成されているばか穴２１とケース、シリンダー内の空間とを接続する接続孔２２および前記のバルブハウジングの密封空間（消音室）とを結ぶ接続孔２３とを設けたものである。これによりこの接続孔２３、ばか穴２１、接続孔２２を介して、ケースおよびシリンダー部とにより形成される空間とバルブハウジングの密封空間とを連通する流路を構成するようにしたものである。
【００２４】
この実施の形態では、ケース６、シリンダー部７、バルブハウジング８、蓋１８を締め付け固定するためのねじ１５が設けられているがねじ穴部分で、シリンダー部７とバルブハウジング８の位置はばか穴でよいため、ここを流路２１としている。
【００２５】
本発明のダイヤフラムポンプは、上記のような構成にしたため、ポンプ作用を行なう際、流体は、外部よりケース６に設けられた通気孔６ａよりケース内の空間に入り、接続孔２３、流路２１、更に前述の接続孔２２を通った後に吸入弁を開いてダイヤフラム部（ポンプ室）内に入り、吐出弁を開いて吐出口より外部へ供給される。
【００２６】
つまり、本発明のダイヤフラムポンプは、図２に示す従来例と、流体がケース、シリンダー部内の空間を通り更に流路を介して密封室よりポンプ室内に図１に示す矢印Ｂのように流れる点でその作用が相違するが、他は同じである。
【００２７】
また、この図に示す実施の形態のダイヤフラムポンプは、ケースと、シリンダー部と、バルブハウジング、蓋を一体に固定するためのねじ１５の位置を利用して流体を形成するようにしているが、シリンダー部とバルブハウジングの周辺部分にこれらを貫通する貫通孔を流路とすればいずれの箇所でもよい。その場合、バルブハウジング８とシリンダー部７との間にダイヤフラム本体１０の周辺部分を挟んでダイヤフラム本体１０を保持している箇所がある。この部分に流路を形成する際は、ダイヤフラム本体１０の周辺にも穴を設ける必要がある。しかし、図１に示す実施の形態のようにばか穴を利用すれば容易に前記流路を形成できる。
【００２８】
本発明は、以上述べたように、ケース６に通気孔６ａを形成すると共にケース・シリンダー等にて形成される空間と消音室とを結ぶ流路を形成することにより、流体は前述のようにケース、シリンダー部にて形成される空間から流路を通り消音室へ入り更に吐出口からポンプ室へ入るようになる。
【００２９】
すなわち、ケース、シリンダー部にて形成される空間が消音室を形成することになり、その結果、本発明のダイヤフラムポンプは、二つの消音室を備えることとなり、消音効果を増大し得る。しかもケース、シリンダー部にて形成される空間は容積が大であり、消音効率は極めて大きい。
【００３０】
従って、非常に静かなダイヤフラムポンプを構成し得る。
【００３１】
更に、ケース、シリンダー部に形成される消音室は、クランク台、駆動軸、駆動体等の駆動機構を収納するケース等をそのまま消音室として用いるものである。したが手、ポンプ全体の大きさを変えることなく小型なポンプのまま消音効果を増大し得る。
【００３２】
【発明の効果】
本発明によれば、大型化することなしに大幅な消音が得られ、したがって、静かで小刀ダイヤフラムポンプを実現し得る。
【図面の簡単な説明】
【図１】本発明のダイヤフラムポンプの構成を示す図
【図２】従来のダイヤフラムポンプの構成を示す図
【符号の説明】
６　　　ケース
７　　　シリンダー部
８　　　バルブハウジング
１０　　ダイヤフラム本体
１１　　ダイヤフラム部
１２　　吐出弁
１３　　ポンプ室
１５　　ねじ
１８　　蓋
２１　　流路
【図１】
2004011579.tif 000003
【図２】
2004011579.tif 000004